(57)【要約】      （修正有）【課題】ワークを搬送する搬送装置をチャンバーの外に配設した場合にも、安定なアライメント精度の確保できるアライメント方法を提供する。【解決手段】アライメント室４００外から搬入された上基板ワークＷ１及び下基板ワークＷ２のアライメントを行うに際して、上基板ワークＷ１を保持装置１１２により保持した状態で真空形成装置によりアライメント室４００内を常圧から減圧にし、アライメント室４００内が所定の減圧度に達した後に、静電ステージ２０１に電圧を印加させて上基板ワークＷ１を静電吸引力により吸着して保持する工程、上基板ワークＷ１を静電ステージ２０１により保持した状態で真空形成装置によりアライメント室４００内を更に減圧にし、アライメント室４００内が所定の真空度に達した後に、上基板ワークＷ１を静電吸引力により吸着して保持した状態で上基板ワークＷ１及び下基板ワークＷ２の相対位置合わせを行う。【選択図】図５
2006173464.tif 000002
【特許請求の範囲】
【請求項１】
互いに異なる電圧を印加することが可能な電極要素を上基板ワークに向けて配設させて該電極要素に異なる電圧を印加させることにより上基板ワークを該電極要素の表面に静電吸引力により吸引して保持する静電ステージと、
該静電ステージの下方に配置され、下基板ワークを上基板ワークに対して略平行に支持可能な支持ステージと、を有し、
前記静電ステージの吸着面と前記支持ステージの支持面とを互いの平面方向であるｘｙ平面方向内で相対的に移動可能に構成することにより、上基板ワークを前記吸着面に、下基板ワークを前記支持面にそれぞれ略平行になるように吸着又は支持した状態で前記吸着面及び／又は支持面をｘ軸方向及び／又はｙ軸方向の相対的移動を行い、上基板ワーク及び下基板ワークの相対位置合わせを密閉されたアライメント室内で行う位置合わせ装置を備え、
前記アライメント室は、上基板ワーク及び下基板ワークを搬入・搬出するための開閉装置及び、
該開閉装置が開放された状態で、前記上基板ワーク及び下基板ワークを前記アライメント室内へ搬入するとともに、アライメントが完了した上基板ワーク及び下基板ワークを前記アライメント室から搬出する搬送装置と、
前記搬送装置により搬送された上基板ワークを前記静電ステージとは異なる手段で保持する保持装置と、
該開閉装置が閉鎖された状態で、該アライメント室内を所定の減圧度及び所定の真空度に形成するための真空形成装置と、
該アライメント室内が所定の減圧度に到達した後に前記静電ステージへの電圧印加を印加する電圧印加手段とを備えたアライメント装置。
【請求項２】
前記静電ステージは、平面上に配列された電極と、該電極に印加される電圧を制御する制御部を備え、該制御部は、上基板ワークを静電気吸引力により接触的に保持する接触保持モード及び上基板ワークを静電気吸引力により非接触的に吸引浮上して保持する浮上保持モードの少なくとも二種類の保持モードを備えることを特徴とする請求項１記載のアライメント装置。
【請求項３】
前記保持装置は、真空吸着装置であることを特徴とする請求項１又は２記載のアライメント装置。
【請求項４】
前記静電ステージの吸着面は、絶縁層で被覆されていないことを特徴とする請求項１又は２記載のアライメント装置。
【請求項５】
請求項１記載のアライメント装置を用い、
上基板ワークを前記保持装置により保持した状態で前記真空形成装置によりアライメント室内を常圧から減圧にし、アライメント室内が所定の減圧度に達した後に、前記静電ステージに電圧を印加させて上基板ワークを静電吸引力により吸着して保持する工程、
上基板ワークを前記静電ステージにより保持した状態で前記真空形成装置によりアライメント室内を更に減圧にする工程、
前記アライメント室内が所定の真空度に達した後に、上基板ワークを静電吸引力により吸着して保持した状態で前記吸着面及び／又は支持面をｘ軸方向及び／又はｙ軸方向の相対的移動を行い、上基板ワーク及び下基板ワークの相対位置合わせを行うアライメント工程、
を順次行うことを特徴とするアライメント方法。
【請求項６】
請求項２に記載のアライメント装置を用い、
上基板ワークを前記保持装置により保持した状態で前記真空形成装置によりアライメント室内を常圧から減圧にし、アライメント室内が所定の減圧度に達した後に、前記静電ステージで前記上基板ワークを接触保持モードで接触保持する工程、
上基板ワークを前記静電ステージにより接触保持した状態で前記真空形成装置によりアライメント室内を更に減圧にし、アライメント室内が所定の真空度に達した後に、前記静電ステージを浮上保持モードへ移行して上基板ワークを静電吸引力により浮上保持する工程、
上基板ワークを静電吸引力により浮上保持した状態で前記吸着面及び／又は支持面をｘ軸方向及び／又はｙ軸方向の相対的移動を行い、上基板ワーク及び下基板ワークの相対位置合わせを行うアライメント工程、
を順次行うことを特徴とするアライメント方法。
【請求項７】
請求項３記載のアライメント装置を用い、
上基板ワークを前記保持装置により保持した状態で前記真空形成装置によりアライメント室内を常圧から減圧にし、アライメント室内が所定の減圧度に達した後に、前記静電ステージに電圧を印加させる工程、静電ステージが上基板ワークを保持可能な静電気吸着力が誘起されるのを待つ工程、上基板ワークが前記静電ステージの吸着力により保持した状態で前記真空形成装置によりアライメント室内を更に減圧にする工程、前記アライメント室内が所定の真空度に達した後に、上基板ワークを静電吸引力により吸着して保持した状態で前記吸着面及び／又は支持面をｘ軸方向及び／又はｙ軸方向の相対的移動を行い、上基板ワーク及び下基板ワークの相対位置合わせを行うアライメント工程、を順次行うことを特徴とするアライメント方法。
【請求項８】
請求項４記載のアライメント装置を用い、
上基板ワークを前記保持装置により保持した状態で前記真空形成装置によりアライメント室内を常圧から減圧にし、アライメント室内が所定の減圧度に達した後に、前記静電ステージに電圧を印加させる工程、静電ステージが上基板ワークを保持可能な静電気吸着力が誘起されるのを待つ工程、上基板ワークを前記静電ステージにより接触保持した状態で前記真空形成装置によりアライメント室内を更に減圧にし、アライメント室内が所定の真空度に達した後に、前記静電ステージを浮上保持モードへ移行して上基板ワークを静電吸引力により浮上保持する工程、上基板ワークを静電吸引力により浮上して保持した状態で前記吸着面及び／又は支持面をｘ軸方向及び／又はｙ軸方向の相対的移動を行い、上基板ワーク及び下基板ワークの相対位置合わせを行うアライメント工程、を順次行うことを特徴とするアライメント方法。
【請求項９】
互いに異なる電圧を印加することが可能な電極要素をハンドリング対象物に向けて配設させて該電極要素に異なる電圧を印加させることによりハンドリング対象物を該電極要素の表面に静電吸引力により吸引して保持する静電ステージと、
ハンドリング対象物をハンドリング室内へ搬入及び搬出するための開閉装置と、
ハンドリング室内を減圧にするための真空形成装置と、
搬送装置により搬入されたハンドリング対象物を前記静電ステージとは異なる手段で保持する保持装置を備えたハンドリング装置を用い、
ハンドリング対象物を前記保持装置により保持した状態で前記真空形成装置によりハンドリング室内を減圧にする工程、
ハンドリング室内が所定の減圧度に達した後に、前記静電ステージに電圧を印加させてハンドリング対象物を静電吸引力により吸着して保持する工程、
ハンドリング対象物を静電吸引力により吸着して保持した状態で更に前記真空形成装置によりハンドリング室内を減圧にする工程、
ハンドリング室内が所定の真空度に達した後に所定のハンドリング操作を行う処理工程、
を順次行うことを特徴とするハンドリング方法。
【発明の詳細な説明】
【技術分野】
【０００１】
この発明は、一組のアライメント対象物としての上基板ワークＷ１及び下基板ワークＷ２を保持又は支持してアライメント操作を行うことができるアライメント装置及びそれを用いたアライメント方法並びにハンドリング方法に関する。
【背景技術】
【０００２】
従来から、例えば、図７に示すような不図示のチャンバー内に配設されたアライメント装置本体１００が知られている。このアライメント装置本体１００は、上方よりマスクなどの上基板ワークＷ１を静電気吸引力により保持する保持手段としての静電チャック２００と、この上基板ワークＷ１とともにアライメントされる基板などの下基板ワークＷ２を略水平に支持する支持面３１０を備えたステージ３００、上基板ワークＷ１及び下基板ワークＷ２を静電チャック２００及びステージ３００へ供給し、アライメントが完了したワークを取り出すためのロボットを含む搬送装置（不図示）とから大略構成されている。
【０００３】
この静電チャック２００は、不図示のモータなどのアクチュエータに接続されてｘ軸方向、ｙ軸方向、ｚ軸方向（鉛直方向）、θ方向（ｘｙ平面内での回転方向）に移動可能な平板状のベース部材２１０を有している。このベース部材２１０の下面には、絶縁材料２２０により被覆された二群の電極要素群２３１と電極要素群２３２とから構成された電極が固定され、この絶縁材料２２０の下面（保持面２３３）は支持面３１０と平行な略水平に維持されている。
【０００４】
また、これらの電極要素群２３１、２３２にはそれぞれ制御部２４０が接続固定されている。この制御部２４０から電極要素群２３１，２３２のそれぞれに正負の電圧（Ｖａ＝＋Ｖ１；Ｖｂ＝−Ｖａ）を印加させることにより、上基板ワークＷ１が保持面２３３としての絶縁材料２２０の下面に静電吸着されるようになっている。
【０００５】
一方、この静電チャック２００及び／又はステージ３００には、複数の穴（不図示）が設けられており、その穴を通してアライメントマークを監視するカメラが配置されている。
【０００６】
以上のアライメント装置本体１００によれば、チェンバーが密閉された真空に維持された状態で、搬送装置により上基板ワークＷ１が保持面２３３付近まで供給され、制御部２４０から電極要素群２３１，２３２への印加電圧をオンすることにより、電極要素群２３１には＋Ｖ１ボルト、電極要素群２３２には−Ｖ１ボルトを印加させることにより、上基板ワークＷ１を静電チャック２００により静電気的に吸着して保持する。ついで、搬送装置により下基板ワークＷ２がステージ３００に供給され、ステージ３００上に載置されて支持固定される。
【０００７】
ついで、吸着面に静電吸着されている上基板ワークＷ１を移動させて上基板ワークＷ１及び下基板ワークＷ２の相対位置合わせ作業（アライメント作業）が行われる。
【０００８】
このアライメント作業は、例えば、不図示のアクチュエータを駆動させて静電チャック２００をｚ軸方向に下降させ、上基板ワークＷ１及び下基板ワークＷ２を接触させ、カメラからのアライメントマークなどの情報を基にして位置ずれ量を測定する。
【０００９】
その後、アクチュエータを駆動させてｚ軸方向に上昇させ、上基板ワークＷ１と下基板ワークＷ２とを離間させた状態でｘ軸方向、ｙ軸方向、θ方向に位置ずれ量が無くなるように静電チャック２００を移動させる。位置ずれ量が無くなった状態でアクチュエータを駆動させてｚ軸方向に静電チャック２００を下降させて上基板ワークＷ１を下基板ワークＷ２に押し当て、制御部２４０から電極要素群２３１，２３２への電圧をオフ（接地）させて、上基板ワークＷ１を静電チャック２００からリリースしてアライメントを行っている。
【００１０】
アライメント終了後の組立体は、搬送装置により取り出され、チェンバー内のストック部に積載され、次の上基板ワークＷ１の供給に移行されて、アライメント作業が繰り返される。
【発明の開示】
【発明が解決しようとする課題】
【００１１】
近年の液晶基板製造ラインでは、ガラス基板の面積を大きく取ることにより生産ラインの効率化を図っている。例えば、第７世代の液晶基板製造搬送ラインでは、液晶基板の大面積化に伴って、２ｍ×２ｍ程度という面寸法の静電チャック２００やステージ３００を用いる必要が生じる。
【００１２】
このようにガラス基板の面寸法を大きくすれば、システム全体が大型で、システム全体を大型チャンバーに入れ、システム全体を真空環境に配設することは、大型の真空チャンバーが必要になること、真空仕様の大型の搬送装置が必要となること、等によりシステム全体が高価となるという課題がある。
【００１３】
ここで、ロボットを含む搬送装置をチャンバーの外の常圧下に配設すれば、真空チャンバー内に配設すべきシステムの小型化が図れ、廉価なアライメント装置を提供することが可能となる。
【００１４】
しかしながら、本発明者の研究によれば、上記従来のシステムから、搬送装置を外に排出した場合には、印加電圧をオフ（接地）させても、上基板ワークＷ１のリリースが速やかに完了せずに、アライメントの精度が確保できない場合があるという課題が見出された。
【００１５】
そこで、本発明は、上基板ワーク、下基板ワークを搬送する搬送装置をチャンバーの外に配設した場合にも、安定なアライメント精度の確保できるアライメント装置を提供することを課題とする。
【課題を解決するための手段】
【００１６】
上記課題を解決するために、本発明者は、搬送装置をチャンバー外に配設した場合にアライメント精度が確保できない理由について鋭意研究した結果、静電チャックに基板ワークを静電吸着した状態でチャンバー内を常圧状態から真空引きする工程で静電チャックに空気摩擦に起因する電荷が発生して静電チャックの吸着面が帯電され、この帯電が原因で上基板ワークＷ１のリリースが速やかに完了しないことに起因していることを認めた。
【００１７】
すなわち、上記従来技術において、チャンバー外に搬送装置を配設したアライメント装置では、アライメント対象物としての上基板ワークＷ１及び下基板ワークＷ２をチャンバー内に搬入する工程では、チェンバーは開放された状態で搬入する必要があり、搬入された上基板ワークＷ１を静電チャックで吸着した状態ではチャンバー内は常圧（例えば、１００，０００Ｐａ程度の大気圧）であること、また、アライメント時には、例えば、１Ｐａ程度の所定の真空度である必要があること、それ故、アライメント操作の過程では、上基板ワークＷ１を静電チャックに吸着した状態で、常圧から１Ｐａ程度まで急激に真空引きを行う必要が生じることになる。
【００１８】
しかしながら、上基板ワークＷ１を静電チャックに吸着した状態で急激に真空引きが行われると、静電チャック表面の絶縁層と上基板ワークとの界面に形成される細い隙間を空気が高速に流れ、この細い隙間を空気が高速に流れるため、界面に空気摩擦耐電が生起する。また、このとき、電極面に電圧が印加されているため、界面近辺では強い静電界が形成され、摩擦帯電した電荷が強い静電界に拘束され、界面で形成された摩擦電荷が界面間に蓄積することとなる。
【００１９】
ここで、このような界面の隙間（絶縁層の表面と上基板ワークとの間の隙間）は、絶縁層と上基板ワークの面粗度および反りに起因するもので、一般的に小さく、数μｍ程度である。そして、この隙間が小さいために、界面に蓄積した微小な摩擦電荷でも、絶縁層と上基板ワークＷ１との間の吸着面間に大きな静電気力をもたらす。そして、この静電気力によって、アライメント終了時に静電チャックへの印加電圧を遮断しても、上基板ワークＷ１を静電チャックからスムーズにリリースできなくなり、結果として、リリース前とリリース後のアライメント精度に差をもたらしてしまうことになる。
【００２０】
また、その一方で、真空度を高めすぎてから静電チャックに電圧を印加した場合、電極面に電圧を印加してから基板ワークを静電吸着する吸着力が発生するまでの所要時間が長くなることも認めた。
【００２１】
この静電気吸着力は、電極面に電圧を印加することにより基板ワークの吸着面に表面分極を生起させ、発生した表面分極と電極界面に形成される静電界に基づいて発生するが、この表面分極の進行速度は、環境湿度（水分の量）に大きく影響し、湿度が高いほど表面分極の進行速度は速く、その一方で、環境湿度が低下すると分極速度は遅くなる。言い換えると、環境にある水分は、表面分極を助けるが、真空度があがることにより水分の助けが得られなくなり、例えば、１Ｐａ程度のアライメント環境では、期待した静電気吸着力が誘起されるまでの時間は常圧時に比べると著しく増大することが確認された。
【００２２】
さらに、この空気摩擦帯電は、電極面に電圧を印加した状態で常圧（例えば、１００，０００Ｐａ程度の大気圧）から１，０００Ｐａ程度の減圧度（以下、この１，０００Ｐａ程度を所定の減圧度という。）まで急激に減圧することにより主に発生し、所定の減圧度を超えて急激に減圧にしても、摩擦帯電は実質的に無視できた。そして、この空気摩擦帯電に基づく電荷の蓄積（帯電）は、電圧を印加していなければ実質的に発生しないこと、また、所定の減圧度は、アライメント環境に必要な真空度（１Ｐａ程度であり、この真空度を以下、所定の真空度という。）よりも格段に緩やかな減圧度であることを認めた。
【００２３】
そこで、本発明者等は、所定の減圧度まではハンドリング対象物としての上基板ワークＷ１を他の手段で保持し、所定の減圧度に達した後に電圧を印加して静電チャックにより保持することにすれば静電保持への移行も速やかに行え、かつ、その後に所定の真空度まで真空度を高めても、空気摩擦に基づく電荷の蓄積（帯電）が発生せずに、必要に応じて速やかなリリースが行えると考えた。
【００２４】
すなわち、請求項１記載の発明は、互いに異なる電圧を印加することが可能な電極要素を上基板ワークに向けて配設させて該電極要素に異なる電圧を印加させることにより上基板ワークを該電極要素の表面に静電吸引力により吸引して保持する静電ステージと、該静電ステージの下方に配置され、下基板ワークを上基板ワークに対して略平行に支持可能な支持ステージと、を有し、
前記静電ステージの吸着面と前記支持ステージの支持面とを互いの平面方向であるｘｙ平面方向内で相対的に移動可能に構成することにより、上基板ワークを前記吸着面に、下基板ワークを前記支持面にそれぞれ略平行になるように吸着又は支持した状態で前記吸着面及び／又は支持面をｘ軸方向及び／又はｙ軸方向の相対的移動を行い、上基板ワーク及び下基板ワークの相対位置合わせを密閉されたアライメント室内で行う位置合わせ装置を備え、
前記アライメント室は、上基板ワーク及び下基板ワークを搬入・搬出するための開閉装置及び、該開閉装置が開放された状態で、前記上基板ワーク及び下基板ワークを前記アライメント室内へ搬入するとともに、アライメントが完了した上基板ワーク及び下基板ワークを前記アライメント室から搬出する搬送装置と、前記搬送装置により搬送された上基板ワークを前記静電ステージとは異なる手段で保持する保持装置と、該開閉装置が閉鎖された状態で、該アライメント室内を所定の減圧度及び所定の真空度に形成するための真空形成装置と、該アライメント室内が所定の減圧度に到達した後に前記静電ステージへの電圧印加を印加する電圧印加手段とを備えたアライメント装置である。
【００２５】
このように構成すれば、アライメント時の上基板ワークの保持を静電チャックで行うので、面寸法が大きく、かつ、厚みが薄いガラス基板であっても、面吸着により反りを発生させずに保持することができ、アライメント精度を向上させることができる。
【００２６】
また、所定の減圧度までは他の手段で上基板ワークを保持し、アライメント環境よりも真空度が低い、所定の減圧度で静電ステージに電圧を印加して保持手段を静電チャックに移行しているので、静電吸着への移行も速やかに行え、かつ、静電チャックによる面吸着の際に発生する電荷蓄積を回避することができる。
【００２７】
これにより、アライメント操作後では上基板ワークのリリースが速やかに行えるので、位置ズレを回避させることができアライメント精度を向上させることができる。
【００２８】
請求項２記載の発明は、前記静電ステージは、平面上に配列された電極と、該電極に印加される電圧を制御する制御部を備え、該制御部は、上基板ワークを静電気吸引力により接触的に保持する接触保持モード及び上基板ワークを静電気吸引力により非接触的に吸引浮上して保持する浮上保持モードの少なくとも二種類の保持モードを備えることを特徴とする請求項１記載のアライメント装置である。
【００２９】
このようなアライメント装置によれば、請求項１記載のアライメント装置の作用効果に加えて、保持装置及び支持装置のそれぞれの保持面及び支持面の面精度が粗かったり、また、保持面と支持面との相対平行度が低いことにより、アライメント操作中に、それぞれの保持装置又は支持装置に保持又は支持された上基板ワーク及び下基板ワーク間で互いに干渉が発生しても、浮上して保持又は支持されている上基板ワーク又は下基板ワークには、この干渉により発生する力が作用する方向に逃げを有するので、互いに強く圧接されることがない。これにより、アライメント操作をスムースに行うことができる。
【００３０】
請求項３記載の発明は、前記保持装置は、真空吸着装置であることを特徴とする請求項１又は２記載のアライメント装置である。
【００３１】
保持装置としては、機械的な支持装置でもよいが、吸着方式による保持装置であれば、大面積に対しても保持が容易となるので好ましい。
【００３２】
請求項４記載の発明は、前記静電ステージの吸着面は、絶縁層で被覆されていないことを特徴とする請求項１又は２記載のアライメント装置である。
【００３３】
このように構成すれば、絶縁層を設けないので、電極面と基板ワーク面との距離を短く設定でき、これにより、同一印加電圧では高い電界、すなわち、強い静電吸着力を得ることができる。また、所望とする静電吸着力を得るためには低い印加電圧でよいことになる。また、絶縁層で被覆しないことにより、空気摩擦帯電を増大させることはない。
【００３４】
請求項５記載の発明は、請求項１記載のアライメント装置を用い、
上基板ワークを前記保持装置により保持した状態で前記真空形成装置によりアライメント室内を常圧から減圧にし、アライメント室内が所定の減圧度に達した後に、前記静電ステージに電圧を印加させて上基板ワークを静電吸引力により吸着して保持する工程、上基板ワークを前記静電ステージにより保持した状態で前記真空形成装置によりアライメント室内を更に減圧にする工程、前記アライメント室内が所定の真空度に達した後に、上基板ワークを静電吸引力により吸着して保持した状態で前記吸着面及び／又は支持面をｘ軸方向及び／又はｙ軸方向の相対的移動を行い、上基板ワーク及び下基板ワークの相対位置合わせを行うアライメント工程、を順次行うことを特徴とするアライメント方法である。
【００３５】
請求項６記載の発明は、請求項２に記載のアライメント装置を用い、
上基板ワークを前記保持装置により保持した状態で前記真空形成装置によりアライメント室内を常圧から減圧にし、アライメント室内が所定の減圧度に達した後に、前記静電ステージを接触保持モードで接触保持する工程、上基板ワークを前記静電ステージにより接触保持した状態で前記真空形成装置によりアライメント室内を更に減圧にし、アライメント室内が所定の真空度に達した後に、前記静電ステージを浮上保持モードへ移行して上基板ワークを静電吸引力により浮上保持する工程、上基板ワークを静電吸引力により浮上保持した状態で前記吸着面及び／又は支持面をｘ軸方向及び／又はｙ軸方向の相対的移動を行い、上基板ワーク及び下基板ワークの相対位置合わせを行うアライメント工程、を順次行うことを特徴とするアライメント方法である。
【００３６】
請求項７記載の発明は、請求項３記載のアライメント装置を用い、
上基板ワークを前記保持装置により保持した状態で前記真空形成装置によりアライメント室内を常圧から減圧にし、アライメント室内が所定の減圧度に達した後に、前記静電ステージに電圧を印加させる工程、静電ステージが上基板ワークを保持可能な静電気吸着力が誘起されるのを待つ工程、上基板ワークが前記静電ステージの吸着力により保持した状態で前記真空形成装置によりアライメント室内を更に減圧にする工程、前記アライメント室内が所定の真空度に達した後に、上基板ワークを静電吸引力により吸着して保持した状態で前記吸着面及び／又は支持面をｘ軸方向及び／又はｙ軸方向の相対的移動を行い、上基板ワーク及び下基板ワークの相対位置合わせを行うアライメント工程、を順次行うことを特徴とするアライメント方法である。
【００３７】
請求項８記載の発明は、請求項４記載のアライメント装置を用い、
上基板ワークを前記保持装置により保持した状態で前記真空形成装置によりアライメント室内を常圧から減圧にし、アライメント室内が所定の減圧度に達した後に、前記静電ステージに電圧を印加させる工程、静電ステージが上基板ワークを保持可能な静電気吸着力が誘起されるのを待つ工程、上基板ワークを前記静電ステージにより接触保持した状態で前記真空形成装置によりアライメント室内を更に減圧にし、アライメント室内が所定の真空度に達した後に、前記静電ステージを浮上保持モードへ移行して上基板ワークを静電吸引力により浮上保持する工程、上基板ワークを静電吸引力により浮上して保持した状態で前記吸着面及び／又は支持面をｘ軸方向及び／又はｙ軸方向の相対的移動を行い、上基板ワーク及び下基板ワークの相対位置合わせを行うアライメント工程、を順次行うことを特徴とするアライメント方法である。
【００３８】
静電ステージの電圧を印加させてから、実際に静電吸着力により上基板ワークを吸着できるまでに時間を要する場合がある。この時間は、減圧にした場合の減圧度及び印加電圧の振幅等にも依存するが、減圧度が１，０００Ｐａ程度で印加電圧が２ＫＶ程度の場合には無視できる程度であるが、減圧度が１，０００Ｐａ程度で印加電圧が１ＫＶ程度の場合には約１分間必要である。
【００３９】
ここで、保持装置が真空吸着装置である場合には、この１分間の間に真空形成装置を稼動させていると、アライメント室が高真空となり、上基板ワークの真空吸着装置の保持が解除されてしまう場合がある。そこで、請求項７又は８に記載の発明では、これを避けるために静電気吸着力が誘起するまで、待つ工程が付加されている。
【００４０】
また、請求項９に記載の発明は、互いに異なる電圧を印加することが可能な電極要素をハンドリング対象物に向けて配設させて該電極要素に異なる電圧を印加させることによりハンドリング対象物を該電極要素の表面に静電吸引力により吸引して保持する静電ステージと、ハンドリング対象物をハンドリング室内へ搬入及び搬出するための開閉装置と、ハンドリング室内を減圧にするための真空形成装置と、搬送装置により搬入されたハンドリング対象物を前記静電ステージとは異なる手段で保持する保持装置を備えたハンドリング装置を用い、ハンドリング対象物を前記保持装置により保持した状態で前記真空形成装置によりハンドリング室内を減圧にする工程、ハンドリング室内が所定の減圧度に達した後に、前記静電ステージに電圧を印加させてハンドリング対象物を静電吸引力により吸着して保持する工程、ハンドリング対象物を静電吸引力により吸着して保持した状態で更に前記真空形成装置によりハンドリング室内を減圧にする工程、ハンドリング室内が所定の真空度に達した後に所定のハンドリング操作を行う処理工程、を順次行うことを特徴とするハンドリング方法である。
【発明の効果】
【００４１】
本発明によれば、上基板ワーク、下基板ワークを搬送する搬送装置をチャンバーの外に配設した場合にも、安定なアライメント精度の確保できるアライメント装置及びハンドリング方法を提供することができる。
【発明を実施するための最良の形態】
【００４２】
以下に本発明の実施の形態に係るアライメント装置及びアライメント方法の一例につき図面に基づき説明する。なお、従来技術と同一乃至均等な部位部材は同一番号を付して詳細な説明は省略することがある。
【００４３】
図５及び図６は、本発明に係るアライメント装置本体の概念を電極面に対して直交する断面により切断した場合の断面図により説明する図である。いずれのアライメント装置本体も、制御部を除いてアライメント室としてのチャンバー４００内に配設され、チャンバー４００外に配設された搬送装置（不図示）と共に本発明のアライメント装置を構成している。
【００４４】
この搬送装置は、上基板ワークＷ１及び下基板ワークＷ２を静電チャック２０１及びステージ３００へ供給するワーク供給装置、及び、アライメントが完了したワークを取り出すためのワーク搬出装置であり、チャンバー４００が開放されて常圧下で、チャンバー４００との間でワークの送給を行うものである。
【００４５】
ここで、常圧とは、例えば、大気圧（１００，０００Ｐａ程度）を包含し、搬送装置を含めたシステム全体が大気圧よりも僅かに陽圧に保持されたクリーンルームに配設されている場合のクリーンルーム内の圧力を包含している。
【００４６】
このチャンバー４００は、例えば、開閉可能な扉を備えたり、上下に分割可能なチャンバーである。扉を開閉する、又は、上下のチャンバーを合体・分離させるなどの適宜の開閉装置により、チャンバー４００が開放及び密閉可能に構成されている。
【００４７】
チャンバー４００には、単数又は複数の適宜の真空形成装置及び圧力センサなどが接続され、各真空形成装置及び圧力センサは、適宜の制御系に接続されて、チャンバー４００が密閉された状態で、チャンバー４００内を所定の減圧度又は真空度に調整可能に構成されている。
【００４８】
これにより、チャンバー４００が開放された状態で、チャンバー４００外に配設された搬送装置により、上基板ワークＷ１及び下基板ワークＷ２を静電チャック２０１及びステージ３００へ供給し、アライメントが完了したワーク（組立品）を排出でき、また、チャンバー４００が密閉された状態で、アライメント作業が行われるように構成されている。
［アライメント装置本体１０１］
ここで、図５に係るアライメント装置本体１０１は接触方式でのみ吸着保持できる静電チャックを用いたアライメント装置の一例である。
【００４９】
このアライメント装置本体１０１は、上基板ワークＷ１を保持するベース部材２１０を有する静電チャック２０１とその下方に配設されて下基板ワークＷ２を載置して固定するステージ３００とから大略構成され、これらのベース部材２１０又はステージ３００の一方又は双方は、不図示のモータなどのアクチュエータに接続されてｘ軸方向、ｙ軸方向、θ方向（ｘｙ平面内での回転方向）の移動及び昇降装置などによりｚ軸方向（鉛直方向）の昇降が可能に構成され、ベース部材２１０とステージ３００とはアライメント（位置合わせ）のために相対移動が可能に構成されている。
【００５０】
ここで、この静電チャック２０１及び／又はステージ３００の面上には、複数の穴（不図示）が設けられており、その穴を通してアライメントマークを監視するカメラが配置されている。
【００５１】
ベース部材２１０の一面には絶縁材料２２０により埋設された二群の電極要素群２３１，２３２から構成された電極が固定されている。これらの二群の電極要素群２３１，２３２は、互いに交互に隣接してその表面が平面を形成するように配設されている。これらの電極要素群２３１、２３２が埋設されている絶縁材料の下表面はアライメント対象物としての上基板ワークＷ１を保持する面となるので、保持面２３３と呼称し、この保持面２３３は略水平に維持されている。
【００５２】
各電極要素群２３１、２３２にはそれぞれ制御部２４１が接続固定されている。この制御部２４１は、各電極要素群２３１，２３２へ印加される電圧を制御するとともに、不図示の真空形成装置及び圧力センサと接続され、チャンバー４００内の圧力に応じて各電極要素群２３１，２３２への電圧の印加を制御したり、その他の駆動制御系に接続されている。
【００５３】
制御部２４１の詳細な制御については、以下に説明する場合を除いて後述するアライメント操作において詳述する。
【００５４】
例えば、上基板ワークＷ１の受入時には、進退機構１１０が伸張して吸着ハンド１１２が作動して、上基板ワークＷ１を真空吸着させる。チャンバー４００が閉鎖された後には、真空形成装置が作動され、常圧からの真空荒引き時には、各電極要素群２３１，２３２へは電圧は印加されない（印加電圧は零）。減圧度が所定の減圧度に達した場合、制御部２４１内の電圧印加手段が作動して、各電極要素群２３１，２３２へ、それぞれ正負の電圧が印加する。これにより、吸着ハンド１１２で吸着保持されていた上基板ワークＷ１を絶縁材料２２０の下面を保持面２３３として静電吸着させる。
【００５５】
ここで、所定の減圧度とは、空気摩擦帯電が実質的に生起する減圧度を上限とする範囲である。上限を超えて圧力が高い状態で上基板ワークＷ１を静電吸着した状態でチャンバー４００内を急激に吸引すると、各電極要素群２３１，２３２への電圧を接地しても速やかにリリースが行えない。また、この所定の減圧度は、吸着ハンド１１２により上基板ワークＷ１を真空吸着により保持できる減圧度を下限とするのが好ましい。
【００５６】
この所定の減圧度としては、用いる上基板ワークＷ１の大きさ、静電チャック２０１の保持面２３３の状態などに左右されるが、概ね１００Ｐａよりも高く、１０，０００Ｐａ以下であり、例えば、１，０００Ｐａ程度である。１，０００Ｐａ程度の減圧度まで減圧した状態で静電チャック２０１により上基板ワークＷ１を静電吸着した状態でチャンバー４００内を更に急激に真空引きしても、各電極要素群２３１，２３２への電圧を接地すると速やかにリリースが行えることから、空気摩擦帯電が実質的に生起することがない。また、１，０００ｐａ程度の減圧度であれば、上基板ワークＷ１を吸着ハンド１１２により真空吸着して保持が可能である。
【００５７】
また、所定の真空度とは、アライメントに好適な環境であり、所定の減圧度よりも低い。一般に１００Ｐａ以下であり、通常は１０Ｐａ以下、例えば、１Ｐａ程度である。
【００５８】
ベース部材２１０の平面方向の適宜箇所には、上基板ワークＷ１に向けて貫通孔１１１が形成されている。この貫通孔１１１には進退機構１１０により進退可能に真空チャックなどからなる吸着ハンド１１２が設けられている。
【００５９】
この吸着ハンド１１２は不図示の搬送装置により搬送された上基板ワークＷ１を進退機構１１０が伸張した状態で真空吸着し、静電ステージが上基板ワークＷ１を静電吸着可能な位置まで引き寄せる保持装置及び引き寄せ装置として機能している。
［アライメント装置本体１０２］
次に、図６に係るアライメント装置本体１０２は、接触方式に加えて浮上方式での静電保持が可能な静電チャックを用いたアライメント装置の一例である。
【００６０】
このアライメント装置本体１０２は、上基板ワークＷ１を保持するベース部材２１０を有する静電チャック２０２とその下方に配設されて下基板ワークＷ２を載置して固定するステージ３００とから大略構成され、これらのベース部材２１０又はステージ３００の一方又は双方は、不図示のモータなどのアクチュエータに接続されてｘ軸方向、ｙ軸方向、θ方向（ｘｙ平面内での回転方向）の移動及び昇降装置などによりｚ軸方向（鉛直方向）の昇降が可能に構成され、ベース部材２１０とステージ３００とはアライメント（位置合わせ）のために相対移動が可能に構成されている。
【００６１】
この静電チャック２０２及び／又はステージ３００の面上には、複数の穴（不図示）が設けられており、その穴を通してアライメントマークを監視するカメラが配置されている。
【００６２】
ベース部材２１０の一面には絶縁材料２２０により埋設された二群の電極要素群２３１，２３２から構成された電極が固定されている。これらの二群の電極要素群２３１，２３２は、互いに交互に隣接してその表面が平面を形成するように配設されている。これらの電極要素群２３１、２３２が埋設されている絶縁材料の下表面はアライメント対象物としての上基板ワークＷ１を保持する面となるので、保持面２３３と呼称し、この保持面２３３は略水平に維持されている。各電極要素群２３１、２３２にはそれぞれ制御部２４２が接続固定されている。
【００６３】
また、ベース部材２１０の平面方向の適宜箇所には、少なくとも上基板ワークＷ１に向けて開口されているセンサ穴２５１が形成されている。このセンサ穴２５１には上基板ワークＷ１の上面Ｗ１ｂと電極面（保持面２３３）との間の変位量（ｇａｐ）を検出する変位センサ２５０などの距離検出手段が固定されている。この変位センサ２５０は、制御部２４２に接続されている。
【００６４】
この制御部２４２は、各電極要素群２３１，２３２へ印加される電圧を制御するとともに、不図示の真空形成装置及び圧力センサと接続され、チャンバー４００内の圧力に応じて所定のモードにより各電極要素群２３１，２３２への電圧の印加を制御したり、その他の駆動制御系に接続されている。
【００６５】
この制御部２４２は、上基板ワークＷ１を静電気吸引力により接触的に保持する接触保持モード及び上基板ワークＷ１を静電気吸引力により非接触的に吸引浮上して保持する浮上保持モードの少なくとも二種類の保持モードを備えている。
【００６６】
接触保持モードでは、制御部２４２は、電極要素群２３１，２３２のそれぞれ正負の電圧を印加させることにより、絶縁材料２２０の下面を保持面２３３として、平板状の上基板ワークＷ１が保持面２３３に静電吸着されるようになっている。
【００６７】
浮上保持モードでは、制御部２４２は、変位センサ２５０からの情報に基づいて変位量（ｇａｐ）が一定となるように各電極要素群２３１，２３２に印加する印加電圧を実時間で制御する。浮上モードでスイッチＳＷがオンされると、電極要素群２３１には＋Ｖボルトが印加され、電極要素群２３２には−Ｖボルトが印加される。そして、変位量（ｇａｐ）が所定値よりも小さい場合には、この印加電圧を弱く又は切断（接地）して静電吸引力を弱め又は遮断し、上基板ワークＷ１の自重による落下により変位量（ｇａｐ）を大きくする。
【００６８】
一方、変位量（ｇａｐ）が所定値よりも大きい場合には、この印加電圧を高めて上基板ワークＷ１への静電吸引力を強めて変位量（ｇａｐ）を小さくする。このような実時間の制御により、例えば、変位量（ｇａｐ）は１００μｍ〜５００μｍの範囲内で、例えば、２５０±１０μｍで一定となるように制御することが可能となる。
【００６９】
ここで、変位センサ２５０の数は、図６の構成に限定されない。例えば、平面方向中心部付近に一つ設けてもよく、また、図６に示されるように二つ以上設けていてもよい。平面を三分割又は四分割以上に分割して、各分割域にそれぞれ一つの変位センサ２５０を設け、上基板ワークＷ１の全面を複数箇所に分画して各分画域の変位量（ｇａｐ）をそれぞれ制御することにより、薄くて大面積な上基板ワークＷ１でも、撓み（垂下部）などがなく、均一に略水平に保持することができる。
【００７０】
その他の制御部２４２の詳細な制御については、後述するアライメント操作において詳述される。
［アライメント方法１］
次に、図５のアライメント装置本体１０１を用い、上基板ワークＷ１としては高抵抗体であるワークが用いられた場合のアライメント操作の一例について図１に基づいて説明する。
【００７１】
Ｓ１において、チャンバー４００が開放された状態で、不図示の搬送装置から上基板ワークＷ１及び下基板ワークＷ２が順次搬入される。進退機構１１０を伸張させて吸着ハンド１１２により上基板ワークＷ１を真空吸着により保持する（Ｓ２）。ついで、下基板ワークＷ２がステージ３００上に供給されてステージ３００上に載置して固定される。
【００７２】
ついで、チャンバー４００が閉鎖され（Ｓ３）、真空形成装置による吸引（荒引き）が開始される（Ｓ４）。Ｓ５において、圧力センサが１，０００Ｐａを指すと、Ｓ６において制御部２４１の指令により、電極要素群２３１には＋Ｖ１ボルト、電極要素群２３２には−Ｖ１ボルトが印加され、上基板ワークＷ１は静電気的に接触的に保持される。
【００７３】
この状態で低速真空引き（真空吸引）が開始される（Ｓ７）。Ｓ８において、圧力センサの真空度が１Ｐａ程度の所定の真空度に達してアライメント環境に達したと判断され、Ｓ９のアライメント操作が進行する。
【００７４】
このアライメント操作は、従来一般的に行われている操作と同一乃至は均等である。
【００７５】
不図示のアクチュエータを駆動させて静電チャック２０１をｚ軸方向に下降させ、上基板ワークＷ１及び下基板ワークＷ２を近接させ、カメラからのアライメントマークなどの情報を基にして位置ずれ量を測定する。上基板ワークＷ１は静電保持により面吸着されているので、上基板ワークの下面Ｗ１ａと下基板ワークＷ２の上面Ｗ２ａとの距離で定義される近接距離ｄを、例えば、５０〜２００μｍの範囲内に接近させて位置合わせを行える。
【００７６】
位置ずれ量の情報を入手後には、アクチュエータを駆動させて、ｘ軸方向、ｙ軸方向、θ方向に位置ずれ量が無くなるように静電チャック２０１又はステージ３００を相対移動させる。このようなアライメント操作は、必要に応じて繰り返されてもよい。
【００７７】
位置ずれ量が無くなった状態でアクチュエータを駆動させてｚ軸方向に静電チャック２０１又はステージ３００を下降又は上昇させて下基板ワークＷ２を上基板ワークＷ１に当て、アライメント操作を完了する。
【００７８】
アライメント操作が完了したら、Ｓ１０に移行されてチャンバー４００内の減圧が解除され、ついで、Ｓ１１に移行されてチャンバー４００が開放されて、組立体が搬送装置により排出される。
【００７９】
Ｓ１〜Ｓ１１の動作が繰り返されることにより、連続的にアライメント操作が行える。
【００８０】
以上のアライメント操作によれば、所定の減圧度（１，０００Ｐａ程度）までは真空吸着により上基板ワークＷ１を保持しているので、静電チャックによる面吸着の際に発生する電荷蓄積を回避することができる。
【００８１】
所定の減圧度までチャンバー４００内を排気した後で、静電チャックに電圧を印加して、上基板ワークＷ１を面吸着により保持しても、その後に排気される空気流量が極端に低下するので、界面間での空気の流れが少なく、摩擦帯電を起こすことがない。
【００８２】
また、アライメント操作では、上基板ワークＷ１の保持を静電チャックで行うので、面寸法が２ｍ×２ｍ程度であり、厚みが０．７ｍｍ程度のガラス基板であっても、面吸着により反りを発生させずに保持することができ、また、上基板ワークＷ１のリリースも速やかに行えるので、アライメント精度を高く保つことができる。
［アライメント方法２］
次に、図５のアライメント装置本体１０１を用いた場合のアライメント操作の別の例について、図２に基づいて説明する。なお、図１と同一乃至は均等な操作は同一番号を付して詳細な説明は省略する。
【００８３】
この例では、図１におけるＳ６の印加電圧オン時に変えて、Ｓ６１では減圧を中断して印加電圧をオンしている。その後、Ｓ６２において、上基板ワークＷ１表面分極が発生するまで、例えば、数十秒から数分間（例えば、１分程度）待機され、表面分極が発生した後、Ｓ７において、真空吸引が開始されている。
【００８４】
これは、電極要素群２３１，２３２への電圧を印加してから、実際に静電吸着力により上基板ワークＷ１を吸着できるまでには、例えば、約１分間必要であり、保持装置が真空吸着装置である場合には、この間に真空引きしていたのでは、真空度が上昇して真空吸着での上基板ワークＷ１の保持が解除されてしまうので、これを避けるために静電気吸着力が誘起するまで、待つ工程が付加されている。
【００８５】
本発明者の研究によれば、一般に真空度が高くなるに連れて、電極面に電圧を印加してから、基板ワークに十分な静電吸着保持力が発生するまでの所要時間が長くなることが確認された。これは、電極面に電圧を印加して、基板ワークの吸着面に表面分極を起こし、発生した表面分極と電極面間に形成する静電界で静電吸着力が発生するが、この表面分極の進行速度は、基板ワークが配設された環境湿度に大きく影響される。これにより、減圧度が高められた状態では、環境湿度が低下し表面分極の進行速度が低下する。これにより、十分な静電吸着力が得られるまでの時間が増大する。
【００８６】
そこで、この例のＳ６１に示すように、所定の減圧度で表面分極が発生するまで減圧を停止させ、Ｓ６２において表面分極の発生まで待機し、静電保持が開始された後にＳ７で真空吸引を開始する。
【００８７】
このように、所定の減圧度で表面分極が発生するまで減圧を停止させて表面分極の発生まで待機する工程を付加することにより、静電吸着への移行後の保持力低下が解消される。
［アライメント方法３］
次に、図６のアライメント装置本体１０２を用いた場合のアライメント操作の一例について図３に基づいて説明する。図１乃至図２と同一乃至は均等な操作は同一番号を付して詳細な説明は省略する。
【００８８】
この例では、図１の静電チャック２０１に変えて、接触保持モード及び浮上保持モードで保持可能な静電チャック２０２が用いられている。
【００８９】
Ｓ１〜Ｓ５の各ステップを移行することにより上基板ワークＷ１が吸着ハンド１１２により保持された状態で所定の減圧度（１，０００Ｐａ）に達すると、Ｓ６３では、接触保持モードでの保持が可能なように制御部２４２からの指令で電圧が印加される。
【００９０】
この状態で低速真空引き（真空吸引）が開始される（Ｓ７）。Ｓ８において、圧力センサの真空度が１Ｐａ程度の所定の真空度に達してアライメント環境に達したと判断され、Ｓ６４の浮上保持モードへ移行した後にＳ９のアライメント操作が進行する。
【００９１】
ここで、Ｓ６４における浮上保持モードへの移行は、電極要素群２３１，２３２の接地操作（表面電位を零とする操作）であり、これによりこの電極要素群２３１，２３２に静電吸引力により接触保持されている上基板ワークＷ１の表面分極は瞬時に除去されることとなり、静電吸引力が直ちに消滅するので、上基板ワークＷ１は保持面２３３から速やかに落下し、接触保持モードから浮上保持モードへの移行が速やかに行える。
【００９２】
ここで、電極接地は、浮上保持モードの開始時点で実質的な接地が行われていれば、特に別工程とする必要はない。
【００９３】
この浮上モード移行の状態では、各電極要素群２３１、２３２に印加された印加電圧が一時的に遮断され、自重により上基板ワークＷ１が保持面２３３から離脱して落下する。このとき、上基板ワークＷ１が所定の変位量（ｇａｐ）を超えて離間しようとすると実時間で直ちに浮上保持モードによる制御部２４２の制御が作動して、各電極要素群２３１，２３２に印加電圧が印加されて落下が防止され、これにより、接触保持状体から非接触的に所定の変位量（ｇａｐ）を維持させた浮上状態への保持動作の移行が完了する。
【００９４】
ついで、Ｓ９へ移行されて浮上保持モードの状態でアライメントが行われる。
【００９５】
静電チャック２０２をｚ軸方向に下降させ（又はステージ３００を上昇させ）、上基板ワークＷ１及び下基板ワークＷ２を近接させ、カメラからのアライメントマークなどの情報を基にして位置ずれ量を測定する。浮上状態で位置ズレ情報を把握できるので、上基板ワークＷ１、下基板ワークＷ２のそれぞれの表面（下面Ｗ１ａ、上面Ｗ２ａ）を破損することが少ない。
【００９６】
これにより、保持面２３３と支持面３１０の面精度が悪くても、また、相対平行度が低い場合でも、アライメント対象物を損傷させることなく、アライメントを行うことができる。
【００９７】
位置ずれ量の情報を入手後には、アクチュエータを駆動させてステージ３００をｘ軸方向、ｙ軸方向、θ方向に位置ずれ量が無くなるように移動させる。このようなアライメント操作は、必要に応じて繰り返されてもよい。
【００９８】
位置ずれ量が無くなった状態でアクチュエータを駆動させてステージ３００をｚ軸方向に上昇させて下基板ワークＷ２を上基板ワークＷ１に当て、アライメント操作を完了する。
【００９９】
アライメントの完了後にはＳ１０で減圧が解除され、チャンバー４００内を常圧に戻し、開閉装置を開放させる。Ｓ１１により組立体（ワーク）がチャンバー４００から排出され、次のアライメントサイクルへと移行される。
【０１００】
このような静電浮上方式によるアライメントを採用する場合には、上基板ワークＷ１は静電気吸引力と自重とのバランスにより空中に保持されているので、位置ずれ量の補正の際にはベース部材２１０を移動させるよりは、上述の実施例に従うようなステージ３００をｘｙ平面方向に移動する構成の方が、ステージ３００と下基板ワークＷ２との相対位置関係が変動する恐れがないので好適である。
［アライメント方法４］
次に、図６のアライメント装置本体１０２を用いた場合のアライメント操作の別の例について、図４に基づいて説明する。なお、図３と同一乃至は均等な操作は同一番号を付して詳細な説明は省略する。
【０１０１】
この例では、図３におけるＳ６３の印加電圧オン時に変えて、Ｓ６１では減圧を中断して印加電圧をオンしている。その後、Ｓ６２において、上基板ワークＷ１の表面分極が発生するまで、例えば、数十秒から数分間（例えば、１分程度）待機され、表面分極が発生した後、Ｓ７において、真空吸引が開始されている。
【０１０２】
これは、電極要素群２３１，２３２への電圧を印加してから、実際に静電吸着力により上基板ワークＷ１を吸着できるまでには、例えば、約１分間必要であり、保持装置が真空吸着装置である場合には、この間に真空引きしていたのでは、真空度が上昇して真空吸着での上基板ワークＷ１の保持が解除されてしまうので、これを避けるために静電気吸着力が誘起するまで、待つ工程が付加されている。
【０１０３】
そして、この例のように、Ｓ６２において、表面分極が発生するまで減圧を停止させて表面分極の発生まで待機することにより、速やかに静電吸着に移行することができる。
［アライメント装置の変形例２］
浮上保持モードを用いたアライメント装置での水平方向に位置ズレを防止するために、上基板ワークＷ１が浮上保持される際の、水平方向の位置を制限する制限部材を上基板ワークＷ１の周囲の側面に当接するように設けてもよい。
［アライメント装置の変形例２及びそれを用いたアライメント方法］
また、以上説明した静電チャック２０１、２０２に代えて、ベース部材２１０に固定された電極要素群２３１，２３２が絶縁材料２２０により被覆されていない、すなわち、露出されたままの電極面を有する静電チャックを用いてもよい。
【０１０４】
このような絶縁材料２２０により被覆されていない電極要素群２３１，２３２を用いれば、常圧下での破壊電界強度に制限されて印加電圧を高く設定できないが、真空度が高くなるに連れて印加電圧を高くできる。
【０１０５】
また、このような絶縁材料２２０が付与されていない静電チャックでは、保持面とハンドリング対象物（上基板ワークＷ１）との距離を短く設定できるので、上基板ワークＷ１を静電気吸引力により接触的に保持する接触保持モード及び上基板ワークＷ１を静電気吸引力により非接触的に吸引浮上して保持する浮上保持モードのいずれの保持モードにおいても、強い静電保持力により高抵抗体である上基板ワークＷ１を保持することが可能となる。
【０１０６】
また、一般的な静電チャックでは、電極は絶縁材料により被覆されているが、このような絶縁材料により被覆されている電極を用いる場合にはアライメント対象物が高抵抗性材料である場合には、電源オフ時に離反動作が円滑に行えなくなる場合がある。これは、絶縁材料及び又は高抵抗性材料の表面に残存する静電荷に起因している。
【０１０７】
これに対して、このように、電極がアライメント対象物に向けて露出している場合には、電源オフ時に電極を接地させることにより、保持面としての電極面に帯電した静電荷は速やかに除去され、結果としてスムースな離反を行える。
【０１０８】
これにより、このような静電チャックを備えたアライメント装置本体によれば、接触保持モードから浮上保持モードへの移行時には、接触モードで印加した電圧の切断（電源オフ）を行い、アライメント対象物の自重による落下がスムーズに行え、接触保持モードから浮上保持モードへの移行が速やかに完了する。
【０１０９】
以上、この発明の実施の形態を図面により詳述してきたが、具体的な構成はこの実施の形態に限らず、この発明の要旨を逸脱しない範囲の設計の変更等があってもこの発明に含まれる。
【０１１０】
本発明において、保持装置としては、ベース部材２１０に複数の貫通孔を設け、この貫通孔を利用して吸着ハンドを上基板ワークＷ１に対して進退自由に構成していたが、この例に限らずに、ベース部材２１０の側方から保持する機械的な保持装置であってもよい。このような保持装置は、例えば、上基板ワークＷ１に向けて進退可能に固定される機械的な引き寄せ装置が例示される。
【産業上の利用の可能性】
【０１１１】
本発明に係るアライメント装置及びアライメント方法は、以上の実施例で説明したＬＣＤ用のガラス基板などの各種の薄板材料のアライメントに用いることができる他、例えば、フラットパネルディスプレイ用の各種基板や半導体ウエハ、ＣＤ基板、ガラス基板、フォトマスク、プリント基板等のアライメントを含め、その他の薄膜材料や各種デバイスのアライメント装置としての応用も期待される。
【０１１２】
それらは、例えば、液晶表示装置の組立工程、半導体チップなどの各種電子部品の組立工程、パッキング工程等としての応用も期待される。
【図面の簡単な説明】
【０１１３】
【図１】図５の実施例に係るアライメント装置を用いた作業手順の一例を説明するフロー図である。
【図２】図５の実施例に係るアライメント装置を用いた作業手順の一例を説明するフロー図である。
【図３】図６の実施例に係るアライメント装置を用いた作業手順の一例を説明するフロー図である。
【図４】図６の実施例に係るアライメント装置を用いた作業手順の一例を説明するフロー図である。
【図５】本発明の実施例に係るアライメント装置の一例を断面により説明する図である。
【図６】本発明の実施例に係るアライメント装置の一例を断面により説明する図である。
【図７】従来のアライメント装置の一例を断面により説明する図である。
【符号の説明】
【０１１４】
１００、１０１、１０２：アライメント装置
１１０：進退機構
１１１：貫通孔
１１２：吸着ハンド
２００、２０１、２０２：静電チャック
２１０：ベース部材
２２０：絶縁材料
２３１：電極要素群（電極）
２３２：電極要素群（電極）
２３３：保持面
２４０：制御部
２４１：制御部
２４２：制御部
２５０：変位センサ
２５１：センサ穴
３００：ステージ（支持装置）
３１０：支持面
４００：チャンバー（アライメント室）
ｇａｐ：変位量
Ｗ１：上基板ワーク
Ｗ２：下基板ワーク
【図１】
2006173464.tif 000003
【図２】
2006173464.tif 000004
【図３】
2006173464.tif 000005
【図４】
2006173464.tif 000006
【図５】
2006173464.tif 000007
【図６】
2006173464.tif 000008
【図７】
2006173464.tif 000009